(57)【特許請求の範囲】
【請求項１】
遊技盤の遊技領域内に入賞域を区画設定し、前記遊技領域若しくは前記入賞域内に打球受口を設けると共に、前記入賞域内には複数個の飛入球の放出口を開設し、その一方前記遊技領域の背後には前記入賞域を背後から囲むように上下及び左右にそれぞれ並行するガイドを付設し、それぞれのガイドに摺動体を摺動自由に滑合してこれら上下及び左右の各摺動体間に縦軸と横軸を渡架して前記入賞域の背後において縦横直交状に配置し、且つ該縦、横軸の交差部に前記飛入球を吸着保持する球受部を備える移動体を滑合させて前記ガイドに沿って上下及び左右に移動する各摺動体の移動に伴って移動する縦、横軸の上下、左右の移動、そしてこの移動に伴う前記交差部の上下、左右方向の移動によって前記移動体を前記打球受口の背後から前記いずれかの放出口との間を移動させ、これによって、前記打球受口を通して前記球受部に吸着した球を前記入賞域の背後に沿って前記いずれかの放出口に移送し、該放出口を通して再び前記入賞域の前面側に放出して前記入賞域若しくは遊技領域に設ける入賞口に対して入賞の機会を与えるようにしたことを特徴とするパチンコ遊技機の入賞装置。
【請求項２】
移動体の球受部には永久磁石を埋設し、打球受口に受けられた飛入球を吸着保持する一方、放出口の背後には球切り板を設備し、前記移動体によって移送される飛入球を切離して入賞域の前面に向け放出することを特徴とした請求項１に記載のパチンコ遊技機の入賞装置。  
【請求項３】
遊技領域内に区画設定される入賞域は透明板によって構成し、縦、横軸の移動に伴って移動する移動体を遊技盤の前面側から透視できるようにしたことを特徴とする請求項１又は２に記載のパチンコ遊技機の入賞装置。
【請求項４】
遊技領域内には遊技盤を切欠いて窓を開設し、該窓の内部に蓋板を嵌め込み固定することにより入賞域を形成するようにしたことを特徴とする請求項１又は２又は３に記載のパチンコ遊技機の入賞装置。
【請求項５】
入賞域内に開設される放出口の少なくとも１つは打球受口の設置位置より上方に開設されることを特徴とする請求項１乃至４のいずれかの請求項に記載のパチンコ遊技機の入賞装置。
【請求項６】
入賞域内に開設される放出口の少なくとも１つの放出口には直下に放出球を受ける入賞口を設置することを特徴とした請求項１乃至５のいずれかの請求項に記載のパチンコ遊技機の入賞装置。
【請求項７】
上下、左右のガイドに各滑合する上下及び左右の摺動体間にはそれぞれ同期軸を渡して連動させる一方、上下、左右のそれぞれ一方のガイドには駆動用のモータを装備し、該モータの駆動により上下及び左右の摺動体を個別に摺動させて縦、横軸を個別に移動させその交差部に滑合する移動体を入賞域の背面の全域に亘り移動可能にしたことを特徴とする請求項１乃至６のいずれかの請求項に記載のパチンコ遊技機の入賞装置。
【発明の詳細な説明】
【技術分野】
【０００１】
本発明は、パチンコ遊技機の遊技盤面内に設置される入賞装置に関する。
【背景技術】
【０００２】
パチンコ遊技機において、遊技盤前面の遊技領域内に打ち出される打球は、重量によって落下し、落下の途中で障害釘、或は打球を誘導するガイドに衝突することによって任意に、或は所定の方向に誘導され、振分けられる。
この振分けの原理は、遊技領域内に設置される入賞装置においても全く同じである。遊技領域を落下する過程で入賞装置に受けられた打球は、装置の中に組入れられた振り分け通路等を通ることで更に振り分けられ、或は動力で駆動される振り分け装置によって通路を変更する等、様々な流路の変更が加えられ、最終的に入賞装置の中で振分けの結果から入賞球の放出数に差を付ける等の処理が行われるものとなる。
【０００３】
つまり、パチンコ遊技機において打球は、動力によって振り分けが行われる場合を除いて遊技盤面内、更に言えば遊技領域内に打ち出された打球は、この遊技領域内を落下する場合も、また入賞装置に入賞した場合も、球の自重による落下を通して振り分けられることになる。この間、落下した打球はその落下した位置から上方に戻ることはなく、常に下方に向けて引き続き落下し、その過程において振り分けが行われるものとなる。
【０００４】
そして、入賞装置にあっては動力を使って振り分ける場合においても、例えば特許文献１に見られるように誘導回転体４０に乗せてその回転に合せて振り分ける場合でも、最大打球が上昇できる領域は、この誘導回転体４０の回転範囲に止るものであり、しかもこの誘導回転体４０自体が設置される空間の中での移動に止まるものであり、従って、その移動は定形化されたものとなる。
【特許文献１】特開２００２−１５９６６５号公報。
【発明の開示】
【発明が解決しようとする課題】
【０００５】
本発明は、一つの目的として遊技領域に打ち出された打球が常に落下を通して流路を変更し、振り分けられることの単純さと、仮に動力を得て落下する過程で多少の位置の上昇があったとしても、全体的には下方に向けての移動の中でしか振り分けの変化を示すことができない従来のパチンコ遊技機に鑑み、これを改善すべく研究開発されたもので、その特徴とするところは遊技領域内部において、一旦落下した打球がその位置から再上昇を果して、上昇位置から再度の落下に挑むことができるパチンコ遊技機、更に言えばその様な機能を有したパチンコ遊技機の遊技領域内に一体に組込まれる入賞装置を提案しようとするものである。
【０００６】
本発明における１つの特徴は、遊技盤前面の遊技領域の一部を入賞装置に組入れるとにある。そして、この入賞装置内に入賞した球の移動を自由にする移動装置を組入れたことにある。更に言えばこの移動装置により入賞した打球の移動について、入賞位置から上昇移動することは固より、更に下方に向っても、また左右方向にも、斜め上下の方向にも自由に移動送球して、送球した位置から遊技盤前面にこの球を放球し、再度遊技に復帰させ、或は最終的な入賞球とすることを可能にしたパチンコ遊技機の入賞装置を提供することにある。
【課題を解決するための手段】
【０００７】
本発明は、上記目的を達成するために、遊技盤前面の遊技領域内の一部に入賞装置となる入賞域を設定し、前記遊技領域若しくは入賞域内に打球を受け入れる打球受口を設けると共に、更に前記入賞域内に受け入れた打球、つまり前記飛入球を前面に向かって放出する飛入球の放出口を複数開設して、その一方、前記入賞域の背後に前記飛入口において受取った飛入球を前記それぞれの放出口に移送する移送装置を組入れて、予め設定する条件に従っていずれかの放出口に運び、ここから入賞口の直前に放出して遊技領域内における遊技に復帰させ、或るものは放出口の直下に設置する入賞口に、また或るものはそのまま放出することによって遊技を楽しめるようにしたパチンコ遊技機の入賞装置を提供しようとするものである。
【０００８】
更に詳述すれば、本発明は遊技盤の遊技領域内に入賞域を区画設定し、前記遊技領域若しくは前記入賞域内に打球受口を設けると共に、前記入賞域内には複数個の飛入球の放出口を開設し、その一方前記遊技領域の背後には前記入賞域を背後から囲むように上下及び左右にそれぞれ並行するガイドを付設し、それぞれのガイドに摺動体を摺動自由に滑合してこれら上下及び左右の各摺動体間に縦軸と横軸を渡架して前記入賞域の背後において縦横直交状に配置し、且つ該縦、横軸の交差部に前記飛入球を吸着保持する球受部を備える移動体を滑合させて前記ガイドに沿って上下及び左右に移動する各摺動体の移動に伴って移動する縦、横軸の上下、左右の移動、そしてこの移動に伴う前記交差部の上下、左右方向の移動によって前記移動体を前記打球受口の背後から前記いずれかの放出口との間を移動させ、これによって、前記打球受口を通して前記球受部に吸着した球を前記入賞域の背後に沿って前記いずれかの放出口に移送し、該放出口を通して再び前記入賞域の前面側に放出して前記入賞域若しくは遊技領域に設ける入賞口に対して入賞の機会を与えるようにしたことを特徴とするパチンコ遊技機の入賞装置を提供することにある。
【０００９】
また、本発明は、前記移動体の球受部には永久磁石を埋設し、打球受口に受けられた飛入球を吸着保持する一方、放出口の背後には球切り板を設備して前記移動体によって移送される飛入球を切離し、入賞域の前面に向け放出することを特徴としたパチンコ遊技機の入賞装置を提供することにある。  
【００１０】
また本発明は、前記遊技領域内に区画設定される入賞域は透明板によって構成し、縦、横軸の移動に伴って移動する移動体を遊技盤の前面側から透視できるようにしたことを特徴とするパチンコ遊技機の入賞装置を提供することにある。
【００１１】
また本発明は、前記遊技領域内には遊技盤を切欠いて窓を開設し、該窓の内部に蓋板を嵌め込み固定することにより入賞域を形成するようにしたことを特徴とするパチンコ遊技機の入賞装置を提供することにある。
【００１２】
また本発明は、前記入賞域内に開設される放出口の少なくとも１つは打球受口の設置位置より上方に開設されることを特徴とするパチンコ遊技機の入賞装置を提供することにある。
【００１３】
また本発明は、前記入賞域内に開設される放出口の少なくとも１つの放出口には直下に放出球を受ける入賞口を設置することを特徴としたパチンコ遊技機の入賞装置を提供することにある。
【００１４】
そしてまた本発明は、前記上下、左右のガイドに各滑合する上下及び、左右の摺動体間にはそれぞれ同期軸を渡して連動させる一方、上下、左右のそれぞれ一方のガイドには駆動用のモータを装備し、該モータの駆動により上下及び左右の摺動体を個別に摺動させて縦、横軸を個別に移動さ、その交差部に滑合する移動体を入賞域の背面の全域に亘り移動可能にしたことを特徴とするパチンコ遊技機の入賞装置を提供することにある。
【００１５】
上記本発明に係る入賞装置は、遊技領域内に設定する入賞域を入賞装置の一部にすることによって遊技盤の遊技領域と入賞装置とを一体化するものである。そして、遊技領域内を落下する球と、一旦打球受口に受けられ、入賞装置内に取り込まれた飛入球とを同様に取り扱いながら入賞装置に飛入した球は、放出口に臨ませる入賞口に有利に飛入するように設定して差別化し、入賞装置としての機能を果たすようにしている。
【００１６】
更に本発明は、入賞装置の一部を構成する入賞域の背後にガイドによって誘導される縦及び横の軸の移動、そしてこの移動に伴って移動する両軸の交差部の移動を、この交差部に滑合する移動体に置き換えて、この移動体に備える球受部により前記入賞域の一定位置に備える打球受口に飛入した飛入球をこれから任意の位置に設ける放出口のいずれかに送り届け、再び入賞域の前面に放出することができる移送手段を組み込むことによって上記飛入球を上下方向に、また左右方向に、そして斜め上下方向に自由に移送し、放出できるようにしたのである。
【００１７】
上記本発明における移送手段については、前述したことから明らかなように、入賞域の背後にあって直交する２軸、即ち縦方向の縦軸と横方向の横軸とが個別に各軸において並行移動することにより、両軸の交点、つまり交差部が移動するのを利用するものであり、上記交点の移動と共にこれに滑合する移動体を追随させて移動させるものであり、これによって、前記上下、左右のガイドによって囲まれる中で縦横斜めの全方向の移動を可能にし、これに伴わせて移動体に付設する球受部で飛入した球を上下を含む任意の方向に移送することを可能にしている。
【００１８】
尚、上記移送手段において、縦横の２軸はその交差部が移動するとき、この移動と共に移動体がこの移動に円滑に追随して移動するもにしている。更に言えば、移動体の移動は縦横の２軸に同時に滑合することによって縦軸が左右方向に横移動するとき、横軸をガイドにして横移動し、また横軸が上下方向に移動するとき縦軸をガイドに上下移動することにして、移動する力と移動方向へのガイドとを交錯する２軸に分担させ、これによって移動体は自動的に２軸の交点の移動と共に移動することになっているのである。
【００１９】
前記遊技領域内に設定される入賞域は、遊技盤の一部を使って不透明な板によって構成してもよいが、前述したように当該部分を透明板とすると、前記移送手段を構成する縦横の軸や移動体の位置や移動の状況を遊技盤の前面側から覗くことができる。そして、このことから飛入口から打球が飛入した場合には、この飛入球を移動体が目的の放出口に移送する姿を確認することができることになる。
【００２０】
遊技領域若しくは入賞域の前面に設けられる打球の受口には検出器を設置し、打球の飛入を検出する。そして、この検出器において飛入を検出したとき、遊技制御装置に予め設定しておく遊技機能に合わせて前記移送手段の摺動体を駆動するモータを起動し、縦軸又は横軸を個別に、または同時に移動させて両軸の交差部の移動により前記移動体を移動させて飛入した球を予め設定する目的の放出口へ運び、入賞域の前面に放出することになる。
【００２１】
この飛入球の移送は、前記遊技制御装置における遊技の設定により自由である。打球受口に打球を受ける度に順次放出口を変えて送っても、また制御装置内部に抽選手段を組み込んでランダムに放出口を選択し、これに従って送り届けるようにしてもよい。
尚、移送手段による打球受口から各放出口への移送には所要の時間を要することから飛入口には複数個の飛入球を受け入れ待機させる部所を設け、連続して受入れた場合は順次送り出すことになる。
【００２２】
放出口は、入賞域の範囲のいずれに設けてもよく、その個数も限定されない。放出の変化を演出するためには上下、左右に分散した状態で設置するとよい。
この放出口は、出口の直下に入賞口を設置するものと、これらの入賞口を備えないものとを適宜組合せて設置すると、遊技に変化を付けることができる。
つまり、放出口から放出された球は、入賞域の前面に飛び出すだけであり、遊技盤前面における遊技に復帰するだけであるが、特定の放出口に入賞口を対峙させてこの放出口から放出された球について高い確率で入賞するようにすると、遊技者に高い関心を持たせることができ、入賞装置としての効果を高めることができる。
【００２３】
ところで、前記移動体の球受部には打球受口を通して受けられた飛入球を吸着する永久磁石が装備され、また放出口の背後には上記永久磁石に吸着され、持ち込まれる飛入球を掻き落す球切り板が設備される。
前記永久磁石は球受部の前面に設けられ、前記打球受口の背後に臨んだとき飛入した打球を吸着して保持し、次に移送装置による移動体の移動によって前記放出口の背後に達したとき、前記球切り板を吸着した球と永久磁石との間に割り込ませて吸着状態を強制的に外し、放出口を通してこの球を前面側に放出することになる。
【発明の効果】
【００２４】
上述のように構成される本発明によれば、遊技領域内に入賞域を設定して遊技盤と入賞装置とを一体の構造とすることから従来に無い全く新規な入賞装置を提供することができると共に、上記入賞域を不透明にした場合には飛入口から飛入した球がどの放出口から放出されるかの神秘性を遊技者に与えることができ、またこの入賞域を透明にした場合は、飛入口において移動体の球受部に吸着された打球がいずれかの放出口に移送される状態を追跡視認させることができるため、遊技者はこの変化を遊技をしながら楽しむことができることになる。
【００２５】
しかも、上記移送は遊技制御装置に設定する移送のプログラムによって自由に決めておくことができ、遊技者が予測できない移送を実行することができるので遊技者において予定しておくことができない一種の期待感を持たせることができ、またこれに併せて飛入球を追跡する楽しみを与えることができる。
【００２６】
そして、本発明は打球受口に飛入した打球を移送するに当って移動体の球受部に備える永久磁石で飛入球を吸着することで保持し、移動に備えることから確実にキャッチすることができ、目的の放出口まで送り届けることができると共に、放出口においては切離し板によって上記吸着状態を解放し、前面に向けて放出できることから簡易な構造にして確実に移送することができる。
【００２７】
また一方、本発明の入賞装置は、前記移送手段の縦軸と横軸の交差部の移動、そしてこの交差部の移動に伴う移動体の移動が入賞域の全域に及ぶことから、飛入球を上下、左右に移送することができる。この結果、下に設ける飛入口から上の設ける放出口に移送して飛入球を放出することができるものとなることから、遊技盤を落下した打球を下に設ける飛入口に受け、これを上方に設ける放出口に揚送して再度上方から放出すると言った従来入賞装置においては見ることができなかった球の動きを遊技者に見せること、そしてその変化を楽しませることができる。
【発明を実施するための最良の形態】
【００２８】
次に、本発明を実施の形態に基づき具体的に説明し、その特徴を明らかにする。
添付の図面は、本発明に係る入賞装置の一実施形態を示したものであり、図１は本発明の使用状態を示す遊技盤の斜視図、図２は図１の遊技盤を背面側から見た斜視図、図３は遊技盤に対する移送手段の取付状態を説明する斜視図、図４は図３の背面側から見た斜視図、図５は図４に示した移送手段からカバーを取り除いた斜視図、図６は移送手段からカバー及び取付台を取除いた構造部分のみにした拡大斜視図である。
【００２９】
ここに示した遊技盤１は、所謂分離式パチンコ遊技機における遊技盤であり、前面には発射装置からの打球Ｐを誘導する打球誘導路２を形成すると共に、遊技盤の前面中央部を囲んで遊技領域３を形成するバンド４が取付けてある。
上記バンド４の内側に沿って左右に入賞口５，５、６，６を配置し、更に装飾用のランプ７，７を設け、内側下縁部には開閉する扉８を備えた大入賞口９を、更にその下方にアウト球口１０を開口している。
【００３０】
前記遊技領域３の中央部には大きく開口する矩形の穴１１を設け、この穴１１を遊技盤の前面と面一になる蓋板１２ａで被い、穴１１の背後に後述する移送装置１３を設備している。
上記穴１１を塞ぐ蓋板１２ａは、実質的に閉塞した状態において遊技領域３の中に入賞域１２を形成するものであり、この入賞域１２の前面部には打球Ｐを受け入れる打球受口１４を設け、更に複数個の球の排出口１５，１６，１７を開設する。
【００３１】
入賞域１２を含む遊技領域３の全面には図示しない多数の障害釘が適宜配置され、前記打球誘導路２を通して打ち出される打球Ｐを左右に振り分けるものとなっている。そして、前記打球受口１４に打球Ｐが飛入すると、この球を受れ入れ孔を通して背後に誘導し、背面側において待機する前記移送装置１３の球受移動体となる球受部１８に受け取り、この打球Ｐを予め設定する球の振分け制御手段によって前記上部に配置する上部排出口１５や、下部の外れゾーンに配置する左右の排出口１６，１６、或は又下部の中央部に配置する当りゾーンの排出口１７に送り届けることになる。
【００３２】
前記移送装置１３について説明すると、直交状に交差する縦軸１９と横軸２０を有し、更に上記縦軸１９を左右方向に往復移動させる上下のガイド、つまりガイド手段２１，２１と、横軸２０を上下方向に往復移動させる左右のガイドたるガイド手段２２，２２を有し、これら４つのガイド手段２１と２２の組合せによって矩形の枠形を構成するようにしてある。尚、この移送装置１３を構成する上下、左右のガイドは、前記入賞域１２の背面部を囲んで、言い換えれば、遊技盤１に形成する前記矩形の穴１１を背面側において取り囲むように形成し、矩形に組立てゝいる。
【００３３】
上記各ガイド手段２１，２２は、それぞれカバー２３，２４によって被い、矩形に形成した取付台２５にこのカバー２３，２４をねじ２６，２６で固定し、移送装置１３を構成し、上記取付枠２５を遊技盤１の背面にねじ２７，２７で止め付けることで一体に組付けるようにしている。
【００３４】
移送装置１３における上下及び左右のガイド手段２１，２１及び２２，２２は、共に上下及び左右のものが対になっている。
これを、カバー２３，２４を外した図５と図６に従って説明すると、先ず、上下のガイド手段２１，２１は、対称形に作られ、それぞれガイドを構成する並行する２本のガイドバー２８，２８を有し、このガイドバーの各両端部を前記カバー２３の端部に支持させると共に、この両ガイドバー２８，２８の間にそれぞれ摺動体２９，２９を滑合し、支持するようにしてある。
【００３５】
ガイドバー２８，２８の両端部にはガイドバー同士の中間位置にプーリー３０，３０を配置し、これらに無端のベルト３１を張設している。そして、一方のプーリー３０に設けるギヤ３２を駆動モータ３３の駆動軸に設けるギヤ３４に噛合させ、更に上記ベルト３１に前記摺動体２９をベルト止め３５を介して固定している。
従って、駆動モータ３３が駆動し、プーリー３０，３０が走行すると、これに伴って摺動体２９がガイドバー２８，２８に沿って左右に移動し、更に上記駆動モータ３３が正逆に回転を変えると、これに伴ってこの摺動体２９は左右方向に移動方向を変えることになる。
【００３６】
図中、３６は上下のガイド手段２１，２１を同期連動させるための同期軸である。この同期軸３６は、上下において向い合うプーリー３０，３０（図５，６において左方のプーリー）間に渡り、上方のガイド手段２１におけるプーリ３０ーが駆動モータ３３によって回転すると、同時に回転し、下方のガイド手段２１のベルト３１を走行させ、下方の摺動体２９を前記上方の摺動体２９と同一方向に移動させる。
そして、この上下において同一方向に移動する上下の摺動体２９，２９に伴って両者間に渡る前記縦軸１９は、この摺動体２９，２９の左右方向の移動に伴って縦の姿勢を維持した状態で移動することになる。
【００３７】
図中、３７は駆動モータ３３の駆動によって運行されるベルト３１に従って左右方向に移動することになる摺動体２９の位置、つまりは上下の摺動体２９，２９の間に渡って共に左右に移動する縦軸１９の移動位置を回転によって電気信号に変換し、図示しない遊技制御回路に絶対位置信号として発信するポテンショメータであり、前記駆動モータ３３のギヤ３４に回転ギヤ３８を噛合させることで同時回転するようにしてある。
【００３８】
上記縦軸１９を左右方向にガイドする上下のガイド手段２１，２１は、摺動体２９の駆動源となる駆動モータ３３，ポテンショメータ３７を除いて並行するガイドバー２８，２８、プーリー３０，３０、プーリー間に張架した無端のベルト３１によってガイドバー２８に沿って走行する摺動体２９、等の機構部品を全て共通に保有し、上下において対称形をなすように設備されている。そして、この上下のガイド手段２１，２１は前記同期軸３６によって連動し、上下の摺動体２９，２９を同時に摺動させることによって１本の縦軸１９を常時垂直に起立した姿勢を保持して左右方向に自在に移動することができるようにしている。
【００３９】
一方、左右に設備される縦のガイド手段２２，２２もカバー２４，２４に被われる内部には前記上下のガイド手段２１，２１と同様のガイドを構成する機構部品を組込むことで同様に構成されている。
つまり、左右のガイド手段２２，２２は、それぞれ縦に揃えた並行する２本のガイドバー３９，３９をカバー２４に両端部を固定することで備え、このガイドバー３９，３９に摺動体４０を摺動自由に滑合支持している。そして、ガイドバー３９，３９の両端部の間にそれぞれプーリー４１，４１を回転自由に軸承し、このプーリー間にベルト４２を張架して前記摺動体４０のベルト止め４３を介してこのベルト４２と連結し、ベルトの走行に伴わせて摺動体４０を前記ガイドバー３９に沿って上下方向に移動できるように構成しているのである。
【００４０】
そして、上部において向い合せになる上部のプーリー４１，４１間に同期軸４４を渡し、左右のガイド手段２１，２１が同時連動するようにしてある。
ここでも同じように、遊技盤１の前面側から見て右方のガイド手段２１（図５，６を参照）にモータ４５を配置し、ギヤ４６，４７を介して上部のプーリー４１を回転させ、前記ベルト４２を運行すると同時に、同期軸４４によって左方のガイド手段２２のベルト４２を運行できるようにしてある。そして更に、この右方のガイド手段２１にギヤ４８によってモータ４５の回転を受けるポテンショメータ４９を設備し、摺動体４０，４０の移動によって上下に移動する横軸２０の移動位置を電気信号として前記図示しない遊技制御回路に発信するようにしてある。
【００４１】
ところで、上下のガイド手段２１，２１に備えられる摺動体２９，２９間に渡り、縦方向（図面において垂直方向）に支持される縦軸１９と、左右のガイド手段２２，２２の摺動体４０，４０間に渡って横方向（図面において水平方向）に支持される横軸２０とは相互が直接接触しないように同一平面上に位置するのを避けて前後に位相させてある。ここでは、横軸２０が前に、縦軸１９が後に位置して互いに上下、左右のガイド手段２１，２２に囲まれる矩形の枠形の空間内で直交状に交差するように支持されている。
【００４２】
この様に、上方のガイド手段２１と右方のガイド手段２２にそれぞれ備えるモータ３３，４５からの動力を受けることによって縦軸１９は左右方向に、つまりＸ軸方向に移動し、また横軸２０は上下方向に、つまりＹ軸方向に移動して両軸の交点、つまり交差部５０を上下、左右に移動させることになる。そして、この交差部５０に滑合支持する前記移動体である球受部１８をこの交差部５０の移動に伴わせ、これに追随させるのである。
【００４３】
図７乃至図１６は上記球受部１８の構造、並びに上下、左右方向に交錯する縦軸１９と横軸２０との関係を示した拡大斜視図である。次に、これらの図面に従って説明することにする。
移動体である上記球受部１８は、前方に向けてパチンコ球Ｐを吸着し、受け取ることができる永久磁石５１を埋設する短尺な円柱形の本体部５２と、この本体部５２の背後にあって縦軸１９に滑合する縦のスライダ５３及び横軸２０に滑合する横のスライダ５４とからなる滑合体５５によって構成されている。
【００４４】
図９から図１６は、前記球受部１８の滑合体５５の構造の全体及び部分を説明する斜視図であり、これらに基づいて説明すると、縦及び横のスライダ５３，５４はここでは共に断面コ字形の金属枠によって形成してあり、それぞれの枠の内部には両端部の近くにそれぞれ滑合部となる一対の回転ローラー５６が備えてある。
上記回転ローラー５６は周面に溝を備えた溝付きのローラーになっており、各スライダ５３,５４に植設する滑合軸５７によって支持されるようにしてある。
【００４５】
滑合軸５７は、スライダ５３，５４の両端部の内側に設ける軸孔５８に軸端５７ａを圧入して固着し、立ち上げた状態で回転ローラー５６を回転自由に軸承するようにしてある。
【００４６】
図中、５９，６０は上記縦横のスライダ５３，５４と組合って双方のスライダ同士を連結する連結部材である。この２つの連結部材５９，６０は同一形状に形成してあり、ここではスライダの背中を跨ぐようにコの字形に形成して両端部から鍔５９ａ，６０ａをそれぞれ延設し、この鍔５９ａ，６０ａに前記滑合軸５７の他方の軸端５７ａを受ける軸孔５８を形成する。
【００４７】
上記連結部材５９，６０は、スライダ５３，５４を跨ぐコ字形部分の内幅をスライダの横幅より広く形成し、このスライダを跨いだとき、両者の間に所要の空隙ｗが形成されるようにしてある。そして、この連結部材５９，６０は両端の鍔５９ａ，５９ａ，６０ａ，６０ａを含む全長をスライダ５３，５４の長さに合せて形成し、それぞれスライダと向き合わせたときスライダの端部と両端の鍔とが一致するようにして前記スライダに植設した滑合軸５７の他方の軸端５７ａをこの鍔５９ａ，６０ａに形成する前記軸孔５８に受け入れ固着できるようにしてある。
【００４８】
各スライダと連結部材との結合は、例えば横スライダ５４を跨ぐ連結部材６０に対して縦スライダ５３に組付ける滑合部たる回転ローラー５６を鍔６０ａに対して先付けし、この状態で縦スライダ５３と組合せることで回転ローラー５６を組込むことができる。尚、このとき、連結部材６０には鍔６０ａに穿つ軸孔５８に滑合軸５７の軸端５７ａを圧入して立ち上げ、次にこの軸５７に回転ローラー５６を嵌めて回転自由に軸承させる。この回転ローラー５６の軸承は両端の鍔６０ａ，６０ａに２本づつ立ち上げる滑合軸５７について行うことになる。
【００４９】
図９は、４つの回転ローラー５８を組付けた連結部材６０を球受部１８の本体部５２に組付ける場合を示したものである。連結部材６０に穿つ透孔６１を通して皿ねじ６２を本体部５２の背面に形成するねじ孔６３にねじ込むことによって両体の結合が行われる。
図１０，１１は、上記連結部材６０と本体部５２との結合を示す背面側及び前面側から見たそれぞれの斜視図である。尚、図中６４は連結部材６０と横スライダ５４とを回転可能な状態に連結する支軸であり、この支軸については後述する。
【００５０】
一方、前記縦スライダ５３を跨ぐもう一方の連結部材５９は、前記本体部５２を連結する透孔６１を穿つことを除いて前記連結部材６０と全く同一に形成され、且つ前記横スライダ５４との組合せと全く同一にして組立られる。つまり、連結部材５９の両端の鍔５９ａ，５９ａにはそれぞれ滑合軸５７，５７が植設され、それぞれの軸に回転ローラー５６，５６が回転自由に軸承される。
【００５１】
尚、この連結において縦スライダ５３の横幅を連結部財５９の凹部の内幅より小さくして両者の間に間隙ｗを設け、連結の支軸（横スライダ５４と連結部材６０とを連結した支軸６４と同一の支軸）を支点にして縦スライダ５３が回転可能に結合されることは、前記連結部材６２と横スライダ５４との関係と全く同じである。
【００５２】
図１２は、連結部材５９に縦のスライダ５３を組入れ、支軸６４を連結穴６５に回転自由に軸着して結合させた後、その前面から横スライダ５４を臨ませて縦スライダ５３と交差するように合せ、連結部材６１に向き合わせた状態の図である。
【００５３】
この連結部材５９と横のスライダ５４の向き合わせにおいて連結部材５９の鍔５９ａ，５９ａに２つづつ軸着する回転ローラー５６の各滑合軸５７の軸端５７ａを横スライダ５４の両端に設ける軸孔５８に各圧入して両者間に挟み込み、横スライダ５４に４つの滑合体を組込むことになる。
【００５４】
その一方、上記横スライダ５４の背面側から前記本体部５２を固定した連結部材６０を臨ませ、この連結部材に植設した支軸６４を横スライダ５４の連結穴６５に回転自由に軸着してこの両者を結合すると共に、この連結部材６０の両鍔６０ａ，６０ａに２つづつ設けた前記回転ローラー５６の各滑合軸５７の軸端５７ａを縦スライダ５３に設ける軸孔５８に圧入して同じく縦スライダ５３の両端に２つづつの滑合部たる回転ローラー５６を組込むことになる。
【００５５】
図１３は、この様にして組込みを完成した滑合体５５を示す斜視図である。縦のスライダ５３は横のスライダ５４を跨ぐ連結部材６０と組合うことで両端部に２個づつの回転ローラー５６を備えることになり、また横のスライダ５４は縦のスライダ５３を跨ぐ連結部材５９と組合うことで両端部に２個づつの回転ローラー５６を備えることになる。そして、両スライダ５３，５４は共に連結部材５９，６０と組合って対象の形を形成することになる。
【００５６】
この両スライダ５３，５４は、それぞれを跨ぐ連結部材５９、６０と支軸６４、６４を介して回動自由に軸着連結されることからこの両軸を支点に連結部材５９，６０とのそれぞれの間隙ｗを利用して僅かではあるが回転が可能になり、直交状に連結した向きの角度を変えることができるものとなっている。尚、上記スライダ５３，５４と連結部材５９，６０とを連結するそれぞれの支軸６４、６４は共に各スライダ５３，５４の中央部を貫くことによって同一軸心上に位置し、後述するように前記縦横の軸１９，２０の交点を通る直線上に位置することになる。
【００５７】
この様にして構成された滑合体５５には縦のスライダ５３に対して縦軸１９が通され、横のスライダ５４に対して横軸２０が通される。
図１６は、それぞれのスライダに対する縦軸１９と横軸２０の滑合関係を図示したものであり、縦軸１９は縦のスライダ５３の両端に備える２個づつの回転ローラー５６，５６間を貫いて２箇所で滑合支持され、また横軸２０も同様に横スライダ５４の両端に備える回転ローラー５６，５６間を貫くことで２箇所で滑合支持されるものとなる。
そして、この縦軸１９と横軸２０は両スライダ５３，５４を通過する中で交差し、その交点、つまり交差部５０を前記スライダ５３，５４の支軸６４，６４の軸心に一致させることになる。
【００５８】
尚、図１６は、滑合体５５から横スライダ５４と連結部材６０を取り除き、縦、横の軸１９，２０と滑合部たる回転ローラー５６との関係を明らかにしたものであるが、ここに示されるように、縦軸１９は前記交差部５０を間にして対向状に位置する縦スライダ５３の両端に備える２個づつの回転ローラー５６，５６によって２点支持され、また同様に横軸２０も交差部５０を間にして２組の回転ローラー５６，５６によって(ここでは、縦スライダ５３に代って連結部材６０に支持された回転ローラーが示されている。)２点支持されることになる。  
【００５９】
さて、図７及び図８は、球受部１８となる滑合体５５と縦横の軸１９，２０との組合を完成した状態の斜視図を示したものであり、次に打球Ｐの移送を通してパチンコ遊技機の入賞装置の一手段となっていることに併せて更に説明することにする。
【００６０】
図１７から図２４は、遊技領域３の中央部に形成する入賞域１２に沿って開設した穴１１に装着した蓋板１２ａの前面に設置した打球受口１４に飛入したとき、この飛入球Ｐが次にどの様に操作されるかを順を追って説明したそれぞれの斜視図である。
【００６１】
蓋板１２ａは、前述したように遊技領域３に開設する矩形の穴１１を前面側から塞ぎ、遊技盤１と一体をなすものであり、４隅に揉み込む止めねじ６６によって固定され、その前面を遊技盤１の前面に一致させることになる。図示していないが前面部の適宜の位置に障害釘を植設配置し、打球の流れを左右に振り分け、誘導するものとなっており、この障害釘に誘導された打球Ｐが打球受口１４に飛入したとき、移動装置１３が作動を開始することになる。
【００６２】
打球受口１４には図示しない検出用の近接スイッチを内蔵し、打球Ｐが飛入すると、これを検出して図示しない遊技制御回路に打球到着信号を発信し、この制御回路に組込む抽選回路を起動して蓋板１２ａに開設する放出口１５，１６，１７のいずれに転送すべきかの抽選に入り、その結果に基づき、決定した放出口に向けて上記飛入球Ｐを送り届けることになる。
【００６３】
打球受口１４は図示する如く上方に向けて開口部を有するポケット型に形成してあり、飛入した打球Ｐは前記近接スイッチを作動させると共に蓋板１２ａを貫通する穴通路を通して背面側に抜け出し、この穴通路に後方から臨む移動装置１３の球受部１８の永久磁石５１に吸着保持される。
【００６４】
図２０は、正に上述した打球受口１４の背後に球受部１８が臨んでいる状態を示すものである。移動装置１３の縦，横の軸１９，２０はこの打球受口１４の真後に交点、即ち交差部５０を置くことになる。
打球受口１４に打球が飛入し、検出スイッチが検出することによって前記抽選が開始され、抽選の結果が確定すると、この確定に従って予め設定するプログラムにより前記縦軸１９を駆動するモータ３３が作動し、この縦軸１９を左右方向に移動させて所定の位置に移し、また一方、前記横軸２０を駆動するモータ４５を作動して横軸２０を上下に移動させ所定の位置に移し、この両軸１９，２０の移動の合成によって交点５０を予め定める位置に移動させ、これにより球受部１８を所定の位置に移すことになる。
【００６５】
図２０は、入賞口６７の直上に開口する放出口１７に遊技制御回路の指示に従って飛入球Ｐを受け取った球受部１８を臨ませた状態を示したものである。
球受部１８の打球受口１４からこの放出口１７までの移動経路は、前記縦，横軸１９，２０の移動順序によって異なることになるが、遊技盤面において左方に位置する打球受口１４から中央部下方にある放出口１７に異動するには、始めに縦軸１９を右方に移動させ、中央部まで達した時点で、次に横軸２０を下降させ、排出口１７背後に送り届ける経路、つまり直線的に直角に交差部５０を移動させて送り届けるものと、縦軸１９と横軸２０の移動順序を逆にして交差部５０を下降させたのち、右方に移動させて排出口１７の背後に至るようにする場合があり、更にこの両軸１９，２０を同時に移動させて受け入れ口１４から直接排出口１７に向けて直線的に、又場合によっては曲線的に移動させる場合がある。
【００６６】
これらの移動経路の違いは、全て縦，横軸１９，２０の移動順序によって起るもので、制御回路のプログラムによって自由に移動経路を設定することができる。
尚、この実施形態では蓋板１２ａが不透明な合成樹脂板にしてあることから、この蓋板１２ａの背面側で実行される縦，横軸１９，２０の移動、そしてその交差部５０の移動は前方から視認できないものとなるが、この蓋板１２ａを透明板とした場合にはこれらの移動が視認できるものとなるため、この移動時の変化、そしてこの変化に伴う飛入球Ｐの移送状態、更には遊技者において移送先を予想すること等を楽しむことができる。
【００６７】
さて、放出口１７に運ばれた飛入球Ｐはこの放出口を通して前方に送り出され、ここでは放出口前面の下方に開口する前記入賞口６７に放出され入賞の機会に恵まれることになる。つまり、この実施形態においては、放出口１７は「当りゾーン」となっており、極めて入賞確率の高い放出口となっているのである。
【００６８】
ところで、前記打球受口１４を通して球受部１８の永久磁石５１に吸着保持された飛入球Ｐは、吸着された状態で打球受口１４から放出口１７に移動し、放出口１７に達した時点でこの放出口の背後に突き出す樋状の受部１７ａの後端部に設ける球切り板６８によって引き離され、受部１７ａを通して遊技盤の前方に転り出るものとなる。
【００６９】
図２２は、飛入球を保持した球受部１８が放出口１７の直上に達した状態を示し、図２３は、この状態から球受部１８が下降して永久磁石５１に吸着された飛入球Ｐが球切り板５８によって切り離されようとした状態を示す。そして、図２４は、飛入球Ｐが永久磁石５１から離され、受部１７ａから放出口１７の前方に転がり出た状態を示したものである。
【００７０】
上記放出口１７における受部１７ａ、球切り板６８は、その他の放出口１５，１６についても同様に受部１５ａ，１６ａ、そして球切り板６８が設備され、それぞれの放出口に飛入球Ｐが運ばれたとき、これらの球切り板６８によって永久磁石５１との吸着が外されて放出口に送り出されることになる。
【００７１】
図１８は、球受部１８に受け取った飛入球Ｐを中央部の放出口１７に対して左右に位置をずらして設置した放出口１６に移送する場合を示したものである。
この移送は入賞口に直接関りをもたない放出口１６に飛入球Ｐを運ぶことから「外れゾーン」に運ぶものとなり、入賞の機会は少なく、遊技領域３の最下部に設置される入賞口５乃至６に入賞することのみが期待されるものとなる。
【００７２】
次に、図１９は、上記放出口１６，１７に飛入球Ｐを移送する場合、打球受口１４に対してそれより下方に位置する所に運ぶのに対してこれとは逆に打球受口１４の位置より高い位置の放出口１５に飛入球Ｐを持ち上げ、放出するようにした場合を示す。
この飛入球Ｐの上昇は、移送装置１３の縦，横の軸１９，２０の上下，左右方向の移動により球受部１８が上昇することに伴って行われるもので、放出位置が球の受け取り位置、つまり打球受口１４より高い位置となるため放出口１５から放出された飛入球Ｐは再入賞のチャンスを含め、入賞のチャンスを拡大することになり、遊技者の期待感を高めることになる。
【００７３】
尚、図面には省略しているが、遊技領域３及びこの領域内に位置する蓋板１２ａの前面部には適宜障害釘が植設され、打出された打球Ｐはこれら障害釘の間を縫って落下し、この間に打球受口１４乃至入賞口５，６，６７等に飛入した球が飛入球となり、入賞球となる。
【００７４】
以上説明したように、本発明の入賞装置は、遊技盤と同一平面上に設置することによって一体的な装置とすることができるもので、ことに打球が遊技盤面を落下する間に入賞装置に組込まれると同時に再び遊技盤面上に戻されると言った遊技が可能であり、その中に組込む移送装置によって更に変化のある入賞装置となる。
【００７５】
即ち、本発明の入賞装置における移送装置は、縦，横の軸１９、２０を上下、左右に動かすことに伴って両軸の交差部５０が自由に動くのを利用してこの交差部５０に移動体となる球受部１８を組付け、交差部５０の移動に追随してこの球受部１８を移動する構造としたことから、縦，横の軸１９、２０の移動に伴って両軸の交差部５０が移動する全ての範囲に亘り上記球受部１８を移動させることができるものとなる。そして、この球受部１８の移動は左右方向、上下方向のみならず、斜め方向にも移動が自由であり、更にはこれらの移動に当って縦，横の軸１９、２０の移動順序を操作することで、直線的な移動の他に、両軸１９、２０の移動速度を緩急操作することで曲線的な移動軌跡を描いて移動させることもできるので極めて変化に富んだ球の移動を可能にしている。
【００７６】
そして、上記球受部１８の移動に当って打球受部１４で受けた飛入球Ｐは、球受部１８の永久磁石５１によって確実に吸着保持され、指定の放出口に送り届けることができると共に、放出口に達した飛入球Ｐは球切り板５８によって確実且つ簡単に切り離し、放出することができるため複雑な構造を要することなく装置を組立てることができるものとなっている。
【００７７】
その一方、本発明では球受部１８を下方から上方に向けて、つまり打球受口１４から上方に位置する放出口１５に向けて上昇させ、受け取った飛入球Ｐを揚送した上で放出し、再入賞の機会を与える如く、従来の遊技盤面を落下する場合のみ視覚させて来た従来のパチンコ遊技機には見られなかった球の動きを遊技者に与えることから極めて新鮮な印象を与えるものとなり、一層興趣の高い入賞装置を提供することができるのである。
【００７８】
また、本発明においては蓋板１２ａを不透明な板にして移送装置１３を視認できないようにした場合は、遊技者は飛入した打球Ｐが放出口１５〜１７を通して再度遊技盤面に現れると言った現われ方の意外性に驚くことになり、また蓋板１２ａを透明板にして移送装置１３の動き、ことに縦，横の軸１９、２０の動き、そしてこれに伴う移動体となる球受部１８の動きを直接遊技者に視認させる構造とした場合は、その変化を直接楽しむことができるため遊技性を一層向上させることができる。
【図面の簡単な説明】
【００７９】
【図１】本発明に係る入賞装置の使用状態を説明する斜視図。
【図２】図１の背面側から見た斜視図。
【図３】遊技盤の遊技領域から入賞域を形成する蓋板を外した状態の斜視図。
【図４】図３の背面側から見た斜視図。
【図５】移送手段たる移送装置を被うカバーを取り除いた状態の背面側からの斜視図。
【図６】移送装置のカバーを取り除いた状態の前面側からの斜視図。
【図７】飛入球を吸着した状態の移送装置の移動体たる球受部の拡大斜視図。
【図８】図７の背面側から見た斜視図。
【図９】球受部の一部の分解拡大斜視図。
【図１０】球受部の一部の拡大斜視図。
【図１１】図１０の背面側から見た斜視図。
【図１２】球受部の分解拡大斜視図。
【図１３】球受部の拡大斜視図。
【図１４】球受部と縦、横軸との関係を説明する斜視図。
【図１５】図１４の背面側から見た斜視図。
【図１６】図１４の球受部から縦スライダを取り除いた形態の斜視図。
【図１７】入賞域に形成する打球受口と移送装置の球受部との関係を説明する斜視図。
【図１８】入賞域に形成する放出口と移送装置の球受部との関係を説明する斜視図。
【図１９】入賞域に形成する放出口と移送装置の球受部との関係を説明する斜視図。
【図２０】入賞域に形成する打球受口と移送装置の球受部との関係を説明する斜視図。
【図２１】入賞域に形成する打球受口と移送装置の球受部との関係を説明する斜視図。
【図２２】入賞域に形成する放出口と移送装置の球受部との関係を説明する斜視図。
【図２３】入賞域に形成する放出口と移送装置の球受部との関係を説明する斜視図。
【図２４】入賞域に形成する放出口と移送装置の球受部との関係を説明する斜視図である。
【符号の説明】
【００８０】
１            遊技盤
３            遊技領域
５，６        入賞口
１１          遊技盤に開設した穴
１２          入賞域
１２ａ        蓋板
１３          移送装置
１４          打球受口
１５，１６，１７    放出口
１８          移動体たる球受部
１９          縦軸
２０          横軸
２１          ガイドたる上下のガイド手段
２２          ガイドたる左右のガイド手段
２３          上下のカバー
２４          左右のカバー
２８，３９    ガイドバー
２９，４０    摺動体
３０，４１    プーリー
３１，４２    ベルト
３２，４６    ギヤ
３３，４５    モータ
３６，４４    同期軸
５０          縦軸と横軸の交差部
５１          球受部の永久磁石
５２          球受部の本体部
５３          縦スライダ
５４          横スライダ
５５          滑合体
５６          滑合軸
５７          溝付きローラー
５８，６０    連結部材
６７          入賞口
６８          球切り板
【図１】
0005074952.tif 000002
【図２】
0005074952.tif 000003
【図３】
0005074952.tif 000004
【図４】
0005074952.tif 000005
【図５】
0005074952.tif 000006
【図６】
0005074952.tif 000007
【図７】
0005074952.tif 000008
【図８】
0005074952.tif 000009
【図９】
0005074952.tif 000010
【図１０】
0005074952.tif 000011
【図１１】
0005074952.tif 000012
【図１２】
0005074952.tif 000013
【図１３】
0005074952.tif 000014
【図１４】
0005074952.tif 000015
【図１５】
0005074952.tif 000016
【図１６】
0005074952.tif 000017
【図１７】
0005074952.tif 000018
【図１８】
0005074952.tif 000019
【図１９】
0005074952.tif 000020
【図２０】
0005074952.tif 000021
【図２１】
0005074952.tif 000022
【図２２】
0005074952.tif 000023
【図２３】
0005074952.tif 000024
【図２４】
0005074952.tif 000025